(57)【特許請求の範囲】
【請求項１】
入力装置及び表示装置を有する操作端末によって操作可能な医用機器において、
前記医用機器がログイン状態において予め定められた条件を満たす事象が生じた場合に前記医用機器を操作中断状態に遷移させ、前記操作中断状態において新たなログイン操作が行われたとき新たな操作者の認証処理を行って前記医用機器を操作可能状態に復帰するように制御する制御部と、
前記医用機器が前記操作可能状態に復帰する際に、前記制御部の判断のもとに前記操作中断状態に遷移する前に操作していた操作者の操作状況情報を操作ログとともに保存する操作状況保存部と、
前記新たなログイン操作が行われ、当該操作者の操作状況情報が前記操作状況保存部に保存されている場合に、前記操作状況情報を基に、要求に応じて当該操作者の以前の操作状況を復元させる操作状況復元部と、
前記操作状況復元部によって操作状況が復元された際に、前記操作ログを利用して前記表示装置に操作履歴を表示する操作ログ表示制御部と、を具備したことを特徴とする医用機器。
【請求項２】
前記医用機器の操作中断状態は、画面ロック状態、又は画面ロック状態からログアウト状態に遷移した状態であり、
前記制御部は、前記新たな操作が行われたときに、新たな操作者が所定の権限を保有する操作者か否かを判断して前記認証処理を行い、認証に成功した場合に画面ロックの解除又はログインを許可して操作可能状態に遷移させることを特徴とする請求項1記載の医用機器。
【請求項３】
前記操作状況復元部は、前記操作状況保存部に前記操作者の操作状況情報が保存されているか否かを確認し、保存されている場合に復元要求に応じて前記操作状況を復元することを特徴とする請求項1記載の医用機器。
【請求項４】
前記操作ログ表示制御部は、前記表示装置に前記操作履歴として前記操作者の過去の操作内容を時系列的に表示することを特徴とする請求項１記載の医用機器。
【請求項５】
前記医用機器は、医用画像診断装置又は医用画像読影装置であることを特徴とする請求項１記載の医用機器。
【請求項６】
入力装置及び表示装置を有する操作端末によって操作可能な医用機器のセキュリティ管理方法であって、
前記医用機器がログイン状態において予め定められた条件を満たす事象が生じた場合に、前記医用機器を操作中断状態に遷移させ、
前記操作中断状態において新たなログイン操作が行われたとき、新たな操作者の認証処理を行い、
前記認証処理により認証に成功したと判断した場合に、前記操作中断状態に遷移する前に操作していた操作者の操作状況情報を操作ログとともに操作状況保存部に保存して、前記医用機器を操作可能状態に復帰させ、
前記新たなログイン操作が行われ、当該操作者の操作状況情報が前記操作状況保存部に保存されている場合に、前記保存された操作状況情報を基に、要求に応じて当該操作者の以前の操作状況を復元し、
前前記操作状況が復元された際に、前記操作ログを利用して前記表示装置に操作履歴を表示することを特徴とする医用機器のセキュリティ管理方法。
【請求項７】
前記医用機器がログイン状態において予め定められた条件を満たす事象が生じた場合に、前記医用機器を画面ロック状態に遷移させ、
前記画面ロック状態において新たな操作が行われたときに、新たな操作者が所定の権限を保有する操作者か否かを判断して前記認証処理を行い、
認証に成功した操作者に対して前記画面ロックを解除し、操作可能状態に遷移させることを特徴とする請求項６記載の医用機器のセキュリティ管理方法。
【請求項８】
前記医用機器がログイン状態において予め定められた条件を満たす事象が生じた場合に、前記医用機器を画面ロック状態に遷移させ、
前記画面ロック状態においてログアウトの操作が行われたときには前記医用機器をログアウト状態に遷移させ、
前記ログアウト状態において新たなログイン操作が行われたときに、新たな操作者が所定の権限を保有する操作者か否かを判断して前記認証処理を行い、
認証に成功した操作者に対してログインを許可し、操作可能状態に遷移させることを特徴とする請求項６記載の医用機器のセキュリティ管理方法。
【請求項９】
前記操作状況を復元する際に、前記操作者の操作状況情報が保存されているか否かを確認し、保存されている場合に復元要求に応じて当該操作者の操作状況を復元することを特徴とする請求項６記載の医用機器のセキュリティ管理方法。
【請求項１０】
前記表示装置に表示される前記操作履歴は、前記操作者の過去の操作内容を時系列的に表示したものであることを特徴とする請求項６記載の医用機器のセキュリティ管理方法。
【発明の詳細な説明】
【技術分野】
【０００１】
本発明は、医用機器及びそのセキュリティ管理方法に係り、ユーザ（医用機器の操作者）に与えられた権限に応じて医用機器へのログインや操作画面のロック解除等の実行可否を判断してセキュリティ管理を行うもので、特に複数の操作者が操作する場合の操作性向上を図った医用機器に関する。
【背景技術】
【０００２】
従来、コンピュータ等の各種システムにおいては、記憶媒体に記憶されたデータ（情報）へのアクセスを制限して、データの読み出し、書き込み、削除等の処理が勝手に実行されないようにセキュリティ管理が行われている。従来のセキュリティ管理方法では、ログイン権限を特定のユーザ或いはそのユーザの所属するグループに対してのみ許可し、ログイン権限のないユーサによるアクセスを禁止するようにしている。
【０００３】
例えば、ユーザが操作端末の操作をするときに、ＩＤやパスワード等を入力させてログイン権限が与えられているか否かを認証し、不正アクセスを防止する方法がある。この場合、ユーザやユーザグループが操作端末からシステムの操作を行うためには、認証を伴ってログインする必要がある。またユーザがシステムの操作を終了する場合には、ログアウトし、次にシステムの操作を行う際には、再度認証を伴ってログインする必要がある。
【０００４】
また、このようなログイン・ログアウト機能のほかに、一定時間コンピュータの操作端末が操作されなかった場合や、ユーザが特定のキーを操作した場合には、スクリーンセーバを起動し、表示装置の画面をロックさせて他者が操作できないようにしている。この場合も、ログインと同様に、認証を伴って画面ロック解除を行わないと操作ができないように制御されている。
【０００５】
一方、医用分野においても、同様のセキュリティ管理が行われている。例えば画像診断装置等の医用機器に保存された患者の個人情報等を保護しようとする場合や、医用機器の操作を一定の操作者に制限しようとする場合には、ユーザ（操作者）やユーザの属するグループのみにログイン権限を与え、ログイン権限を有するユーザか否かの認証を行ってログイン或いは画面ロックの解除を行うようにしている。
【０００６】
しかしながら、このようなセキュリティ管理方法をそのまま医用機器に適用した場合には、別の問題が発生する。即ち、医用画像診断装置では緊急時等に備えて、いついかなる場合であっても、検査や診断ができる状態にしておく必要がある。このため、上述したセキュリティ管理方法を医用機器に適用するのは望ましくない。例えば操作端末を操作していたユーザ（カレント操作者）がその場を離れてしまい、画面がロックされた場合には、他の操作者がその医用機器を操作できなくなり、検査や診断ができなくなってしまう。
【０００７】
つまり、従来のセキュリティ管理方法では、操作画面がロックされている場合に、他のユーザは操作画面のロックを解除できないため、他のユーザが医用機器を操作する場合には、電源をオフにするかシステムを終了せざるを得ない。しかしながら、医用機器の電源をオフしたり、システムを終了させた場合は、システムの再起動に時間を要し、早期に検査を開始することが困難になるという問題が生じる。
【０００８】
このような問題に対処するため、特許文献１には、ログイン権限が与えられた操作者の情報を管理する管理部と操作者認証部を備えた医用機器について記載されている。この例では、画面がロックされている場合であっても、カレント操作者以外のログイン権限を有する操作者が認証に成功すれば画面ロックを解除して医用機器にログインし、操作できるようにしている。
【０００９】
即ち、特許文献１の例では、カレント操作者（操作者Ａ）がログインしている状態で、かつ画面がロックされている状態において、ログイン権限が与えられた他の操作者（操作者Ｂ）が医用機器を利用するために認証手続きを行い、認証に成功した場合には、画面ロックが解除され、新規の操作画面が表示される。こうして、操作者Ａ以外の操作者Ｂであっても操作が可能となる。
【００１０】
しかしながら、特許文献１の例では、操作者Ｂがログインして操作したあと、それまで操作者Ａが操作していた操作画面は消されてしまうため、操作者Ａが再び操作しようとしても継続して作業することができない可能性がある。したがって、この点でさらなる改善の余地がある。
【特許文献１】特開２００６−１４６５９８号公報
【発明の開示】
【発明が解決しようとする課題】
【００１１】
従来のセキュリティ管理方法では、操作画面がロックされている場合に、他のユーザは操作画面のロックを解除できないため、他のユーザが医用機器を操作する場合には、システムを再起動する必要があり早期に検査を開始することが困難であった。また特許文献１の例では、カレント操作者以外であっても権限が与えられた他の操作者が認証された場合には、画面ロックが解除され、新たに操作可能となるが、カレント操作者が再び操作しようとしても継続して作業することができない可能性がある。
【００１２】
本発明は上記事情に鑑みて成されたものであり、ログイン権限が与えられた他の操作者が操作した後に、以前に操作していた操作者が前回ログインしていたときの操作を継続して実行することができるようにした医用機器及びそのセキュリティ管理方法を提供することを目的とする。
【課題を解決するための手段】
【００１３】
請求項１記載の本発明は、入力装置及び表示装置を有する操作端末によって操作可能な医用機器において、前記医用機器がログイン状態において予め定められた条件を満たす事象が生じた場合に前記医用機器を操作中断状態に遷移させ、前記操作中断状態において新たなログイン操作が行われたとき新たな操作者の認証処理を行って前記医用機器を操作可能状態に復帰するように制御する制御部と、前記医用機器が前記操作可能状態に復帰する際に、前記制御部の判断のもとに前記操作中断状態に遷移する前に操作していた操作者の操作状況情報を操作ログとともに保存する操作状況保存部と、前記新たなログイン操作が行われ、当該操作者の操作状況情報が前記操作状況保存部に保存されている場合に、前記操作状況情報を基に、要求に応じて当該操作者の以前の操作状況を復元させる操作状況復元部と、前記操作状況復元部によって操作状況が復元された際に、前記操作ログを利用して前記表示装置に操作履歴を表示する操作ログ表示制御部と、を具備したことを特徴とする。
【００１４】
また請求項６記載の本発明は、入力装置及び表示装置を有する操作端末によって操作可能な医用機器のセキュリティ管理方法であって、前記医用機器がログイン状態において予め定められた条件を満たす事象が生じた場合に、前記医用機器を操作中断状態に遷移させ、前記操作中断状態において新たなログイン操作が行われたとき、新たな操作者の認証処理を行い、前記認証処理により認証に成功したと判断した場合に、前記操作中断状態に遷移する前に操作していた操作者の操作状況情報を操作ログとともに操作状況保存部に保存して、前記医用機器を操作可能状態に復帰させ、前記新たなログイン操作が行われ、当該操作者の操作状況情報が前記操作状況保存部に保存されている場合に、前記保存された操作状況情報を基に、要求に応じて当該操作者の以前の操作状況を復元し、前前記操作状況が復元された際に、前記操作ログを利用して前記表示装置に操作履歴を表示することを特徴とする。
【発明の効果】
【００１５】
本発明によれば、カレント操作者による操作の途中で画面ロックがかかった場合であっても、新たな操作者がログインして操作することができる。また、カレント操作者による操作状況情報が保存されるため、あとで操作状況を復元することができ、以前の操作履歴も表示することができる。
【発明を実施するための最良の形態】
【００１６】
以下、この発明の医用機器及びそのセキュリティ管理方法の一実施形態について図面を参照して詳細に説明する。
【実施例１】
【００１７】
図１は、本発明に係る医用機器の一実施形態を示すブロック図である。図１において、医用機器を構成する医用画像診断装置１は、装置本体２と、表示装置３及び入力装置４を有する操作端末５を備え、操作端末５にはセキュリティ管理システム６が搭載されている。入力装置４は、キーやマウス等の操作部を有する。
【００１８】
医用機器１としては、ＭＲＩ（Magnetic Resonance Imaging）装置、Ｘ線ＣＴ（Computed Tomography）装置、超音波診断装置、ＰＥＴ（Positron Emission Computed Tomography）装置、Ｘ線診断装置等の医用画像診断装置がある。さらに、これら医用画像診断装置の他、ＨＩＳ等の病院情報システムを構成する医用機器についても、本発明のセキュリティ管理システム６を搭載することができる。但し、セキュリティ管理システム６は、装置本体２に搭載してもよく、独立した外部システムとして構成してもよい。
【００１９】
尚、図１に示す装置本体２には、被検体の撮影部や、撮影したデータの収集部、収集したデータを処理して映像化するデータ処理部など、各種の構成を有しているが本発明の趣旨ではないため図示を省略し、その作用についても説明は省略する。
【００２０】
医用画像診断装置１は、操作端末５の入力装置４から入力された各種の指示情報によって操作される。また、セキュリティ管理システム６による情報処理によって、システム停止状態、操作可能状態、画面ロック状態、ログアウト状態といった各ステータスに遷移可能である。また、操作可能状態と画面ロック状態を合わせてログイン状態という。
【００２１】
図２は、図１に示す医用画像診断装置１におけるステータスの遷移状態を説明する遷移図である。
【００２２】
図２に示すように、入力装置４の操作により医用画像診断装置１の電源をオンにすると、医用画像診断装置１はシステム停止状態からログアウト状態に遷移する。このログアウト状態では、セキュリティ管理システム６からログイン画面情報が表示装置３に与えられ、表示装置３にはログイン画面が表示される。
【００２３】
ログアウト状態において、入力装置４からログインの指示及びユーザ（操作者）のＩＤやパスワードといった操作者情報が入力されると、セキュリティ管理システム６により認証が行われ、認証に成功した場合は医用画像診断装置１がログアウト状態から操作可能状態に遷移する。
【００２４】
一方、認証に失敗した場合には、医用画像診断装置１がログアウト状態を維持する。逆に、操作可能状態において、入力装置４からログアウトの指示が入力されると、医用画像診断装置１は操作可能状態からログアウト状態に遷移する。
【００２５】
また、一定時間、入力装置４からキー入力やマウス操作等の操作がなかった場合や、予め定められた特定の操作があった場合等、画面ロック条件を満たす事象がセキュリティ管理システム６によって検知されると、キュリティ管理システム６はスクリーンセーバを起動させて表示装置３の画面をロックする。この結果、医用画像診断装置１は操作可能状態から画面ロック状態に遷移する。
【００２６】
また、画面ロック状態において、入力装置４から画面ロックの解除を指示する入力及び操作者のＩＤやパスワードといった操作者情報が入力されると、セキュリティ管理システム６により認証が行われ、認証に成功した場合には、医用画像診断装置１は画面ロック状態から操作可能状態に遷移する。一方、認証に失敗した場合は、画面ロック状態を維持する。
【００２７】
また、画面ロック状態において、入力装置４からログアウトの指示及び操作者のＩＤやパスワードといった操作者情報が入力されると、セキュリティ管理システム６により認証が行われ、認証に成功した場合には、医用画像診断装置１は画面ロック状態からログアウト状態に遷移する。一方、認証に失敗した場合には、画面ロック状態を維持する。
【００２８】
さらに、画面ロック状態或いは操作可能状態において、入力装置４の操作により医用画像診断装置１の電源をオフにすると、医用画像診断装置１は、画面ロック状態或いは操作可能状態からシステム停止状態に遷移する。
【００２９】
尚、ログイン状態において画面ロック状態に遷移した状態、及び画面ロック状態からログアウト状態に遷移した状態を、本発明では操作中断状態と呼ぶことにする。
【００３０】
次に、本発明のセキュリティ管理システム６の機能構成について説明する。
【００３１】
図３は、図１に示すセキュリティ管理システム６の詳細な機能構成を示すブロック図である。セキュリティ管理システム６は、医用画像診断装置１のセキュリティ管理を行うシステムである。
【００３２】
セキュリティ管理システム６は、操作者情報取得部１０、操作者情報管理部１１、操作者認証部１２、ログイン状態管理部１３、カレント操作者情報照会部１４、操作者権限情報照会部１５、操作画面ロック部１６、ログアウト実行部１７、制御部１８、及びログアウト指示部１９を備える。
【００３３】
制御部１８はＣＰＵ，ＲＯＭ等を含み、セキュリティ管理プログラムを格納しており、医用画像診断装置１のセキュリティ管理を行う。
【００３４】
また、操作状況保存部２０、操作状況管理部２１、操作状況復元部２２及び操作ログ表示制御部２３を備える。これらの構成要素２０〜２３は、本発明の要部を構成するものであり、その作用については後述する。
【００３５】
先ず、各構成要素１０〜１９について、その機能を説明する。操作者情報取得部１０は、操作者（医師、技師等）が入力装置４を操作してログイン指示或いは画面ロック解除指示等を行った場合、操作者のＩＤやパスワードといった操作者情報を取得して、制御部１８に与える機能を有する。
【００３６】
操作者情報管理部１１は、操作者情報に権限情報を関連付けて認証情報として保存する機能を有する。権限情報としては、例えばログイン権限や画面ロック解除権限のほかに、アプリケーションの利用権限や特定のデータへのアクセス権限、データ書き込み権限、データ書き換え権限等の任意の権限を記述した情報が含まれる。また認証情報には、必要に応じて操作者の役割（ロール）や操作者の属するグループ等の属性情報が含められても良い。
【００３７】
操作者認証部１２は、制御部１８から操作者情報を受け取って、ログインまたは画面ロック解除を許可するための認証を行い、認証の成否を示す認証結果情報を制御部１８に通知する機能を有する。操作者認証部１２は、認証の際に操作者情報管理部１１に保存された認証情報を参照し、認証情報に基づいて操作者の認証を行う。
【００３８】
ログイン状態管理部１３は、医用画像診断装置１がログイン状態であるか否かを判断して、画面ロック状態或いは操作可能状態でのログイン状況を示す情報と、ログインしている操作者についての操作者情報をそれぞれ保存する機能を有する。
【００３９】
カレント操作者情報照会部１４は、制御部１８からログイン状況情報や、現在ログインしている操作者（カレント操作者）についての照会要求を受けた場合に、ログイン状態管理部１３の情報を参照して、ログイン状況情報やカレント操作者についての情報を制御部１８に照会する機能を有する。
【００４０】
操作者権限情報照会部１５は、医用画像診断装置１がログイン状態、即ち画面ロック状態或いは操作可能状態である場合に、現在ログインしている操作者（カレント操作者）の権限情報を制御部１８に照会する。
【００４１】
また操作者権限情報照会部１５は、入力装置４から画面ロック解除の指示入力があった場合に、操作者情報取得部１０で取得した操作者情報をもとに画面ロック解除の指示を行った操作者の権限情報を制御部１８に照会する機能を有する。この際、操作者権限情報照会部１５は、操作者の権限情報を操作者情報管理部１１から読み込んで取得する。
【００４２】
操作画面ロック部１６は、予め定められた画面ロック条件を満たす事象、例えば所定時間何ら操作が行われない等が検知された場合に、スクリーンセーバを起動させて表示装置３にスクリーンセーバ画面を表示するとともに、画面ロック解除画面を表示させる。これにより、医用画像診断装置１を操作可能状態から画面ロック状態に遷移させる機能と、画面ロック解除指示を受けた場合に画面ロックを解除して操作可能状態に遷移させる機能とを有する。
【００４３】
また、操作画面ロック部１６は、医用画像診断装置１がログアウト状態である場合には、ログイン画面情報を表示装置３に与え、表示装置３にログイン画面を表示させる機能を有する。また制御部１８からログイン指示を受けた場合に、医用画像診断装置１をログアウト状態から操作可能状態に遷移させる機能を有する。
【００４４】
ログアウト実行部１７は、制御部１８からログアウトの指示を受けた場合に、医用画像診断装置１を画面ロック状態からログアウト状態に遷移させる機能、または操作可能状態からログアウト状態に遷移させる機能を有する。つまりログアウト実行部１７は、医用画像診断装置１をログアウト状態に遷移させることにより、システムの利用を終了させる機能を有する。
【００４５】
制御部１８は、操作者による入力装置４の操作を監視し、ログイン指示或いは画面ロック解除の指示があった場合に、その指示情報及び操作者情報を操作者情報取得部１０から受け取り、また入力装置４からログアウト指示を受け取ることにより、操作者認証部１２、カレント操作者情報照会部１４、操作者権限情報照会部１５、操作画面ロック部１６及びログアウト実行部１７に所要の情報の受け渡しを行い、操作画面を制御する機能を有する。
【００４６】
具体的に言えば、制御部１８は、操作者情報取得部１０から受けた操作者情報を操作者認証部１２に与えて認証結果を要求し、操作者認証部１２から認証結果情報を受け取る機能を有する。またカレント操作者情報照会部１４にログイン状況や現在ログインしている操作者を問い合せ、カレント操作者情報照会部１４からログイン状況情報や現在ログインしている操作者情報を受け取る機能を有する。さらに、画面ロック解除指示やログイン指示を操作画面ロック部１６に与える機能を有する。
【００４７】
また、医用画像診断装置１がログイン状態である場合、制御部１８は、現在ログインしている操作者の操作者情報を操作者権限情報照会部１５に与えるとともに、画面ロック解除の指示があった場合には、その指示を行った操作者の操作者情報を操作者権限情報照会部１５に与え、操作者権限情報照会部１５からそれぞれの操作者情報に関連付けられた権限情報の照会を受ける機能を有する。また、それぞれの操作者の権限情報が一定の条件を満たす場合には、操作画面ロック部１６に画面ロック解除指示を与えたり、ログアウト実行部１７にログアウト指示を与える機能を有する。
【００４８】
さらに、制御部１８は、ログイン指示、ログアウト指示、画面ロック解除指示を操作画面ロック部１６やログアウト実行部１７に与えた場合には、その指示とログイン指示した操作者についての操作者情報をログイン状態管理部１３に書き込み、ログイン状態管理部１３に保存されたログイン状況情報及び操作者情報を更新させる。
【００４９】
ログアウト指示部１９は、画面ロック状態において、入力装置４からログアウト指示があった場合にログアウト指示を取得し、取得したログアウト指示を制御部１８に与える機能を有する。これにより、制御部１８は、ログアウト実行部１７にログアウト指示を与え、医用画像診断装置１を画面ロック状態又は操作可能状態からログアウト状態に遷移させる機能を有する。
【００５０】
一方、操作状況保存部２０は、ログイン権限が与えられた新たな操作者が医用画像診断装置１にログインした場合に、カレント操作者によるそれまでの操作状況情報を操作ログとともに保存する機能を有する。また操作状況管理部２１は、操作状況保存部２０に保存された操作状況情報と操作ログを操作者情報とともに管理する。
【００５１】
操作状況復元部２２は、操作状況管理部２１の管理のもとに、新たに操作する操作者の操作状況情報が保存されているか否かを判断し、その操作状況情報を基に過去の操作状況を復元する機能を有する。さらに、操作ログ表示制御部２３は、保存した操作ログを利用して、操作状況が復元された際に表示装置３に操作履歴の表示を行う機能を有する。
【００５２】
次に本発明の医用機器（医用画像診断装置１）の作用について説明する。
【００５３】
図４は、セキュリティ管理システム６により、医用画像診断装置１のステータスを制御し、表示装置３に表示される操作画面の切換えを行って、セキュリティ管理を実行する際のフローチャートの一例を示す。
【００５４】
医用画像診断装置１では、予め定められたロック条件を満たす事象が検知されると、操作画面ロック部１６によりスクリーンセーバが起動し表示装置３にスクリーンセーバ画面が表示され画面ロック状態になり、かつ画面ロック解除画面が表示される。
【００５５】
このとき医用画像診断装置１は、操作可能状態から画面ロック状態に遷移する。また、また画面ロック状態においてログアウト操作が行われた場合にはログアウト状態に遷移する。これらの状態を操作中断状態と呼ぶ。
【００５６】
ステップＳ０は、画面ロック状態又はログアウト状態(操作中断状態)に遷移している状態を示し、操作者が画面ロックを解除、或いはログインして操作可能状態にするためには、入力装置４からＩＤやパスワードといった操作者情報を入力し、画面ロック解除指示或いはログイン指示を入力する。
【００５７】
ステップＳ１において、操作者情報取得部１０は、操作者情報を取得して、制御部１８に与える。次にステップＳ２において、制御部１８は、カレント操作者情報照会部１４にログイン状況や現在ログインしている操作者（カレント操作者）を問い合せる（このときのカレント操作者を以下の説明では操作者Ａと呼ぶ場合もある）。これにより、カレント操作者情報照会部１４は、ログイン状態管理部１３を参照してログイン状況情報を制御部１８に照会する。また、現在ログインしている場合には、カレント操作者についての操作者情報を取得し制御部１８に照会する。
【００５８】
次に、ステップＳ３において、制御部１８は、ログイン状況情報を参照し、現在、ログイン状態であるか否かを判定する。ログイン状態でないと判定した場合（ＮＯ）には、ステップＳ４に進み、操作者情報取得部１０での操作者情報の取得をログイン指示と解釈して、操作者情報を操作者認証部１２に与える。
【００５９】
操作者認証部１２は、操作者情報管理部１１に保存している認証情報を参照し、操作者がログイン権限を有しているか否かを判定し、ログインを許可するための認証を行う。そして、操作者認証部１２は、認証が成功したか失敗したか（成否）を認証結果情報を制御部１８に通知する。
【００６０】
次に、ステップＳ５において、制御部１８は、操作者認証部１２から受け取った認証結果情報を参照し、認証が成功したか否かを判定する。認証が成功しない場合（ＮＯ）には、制御部１８は、操作者のログインを許可することなく、医用画像診断装置１のステータスをログアウト状態に維持する。
【００６１】
これに対し認証に成功した場合（ＹＥＳ）は、制御部１８は、ログイン指示を操作画面ロック部１６に与える。これにより操作画面ロック部１６は、操作者のログインを許可し、医用画像診断装置１をログアウト状態から操作可能状態に遷移させる。この結果、操作者はシステムの利用を開始することができ、以下、図５のステップＳ２１〜Ｓ２９に移行して処理が行われる。図５のステップＳ２１〜Ｓ２９の処理については、後述する。
【００６２】
一方、ステップＳ３において、現在、ログイン状態であると判定した場合（ＹＥＳ）、制御部１８は、入力装置４からの指示が画面ロック解除指示であると解釈し、ステップＳ６に進む。つまり制御部１８は、前の操作者（カレント操作者）がログインしており、画面ロックがかかった状態であると解釈する。
【００６３】
ステップＳ６において、制御部１８は、ログインしているカレント操作者（操作者Ａ）についての操作者情報、及び現時点で画面ロック解除を指示した新たな操作者（以下、操作者Ｂと呼ぶ場合もある）の操作者情報を、操作者権限情報照会部１５に与え、それぞれの操作者の権限情報を要求する。
【００６４】
操作者権限情報照会部１５は、操作者Ａ，Ｂの操作者情報に基づいて、各操作者の権限情報を操作者情報管理部１１から読み込んで取得し、制御部１８に照会する。
【００６５】
次に、ステップＳ７において、制御部１８は、カレント操作者Ａの権限情報と、新たな操作者Ｂの権限情報とを比較し、両権限情報が同一である否かを判定する。但し、このとき権限情報の一部のみが同一である場合や、一定の関係にある場合であっても、画面ロック解除の権限があれば実質的に両権限情報が同一であるとみなす。
【００６６】
そして、新たな操作者Ｂの権限画面ロックの解除権限が含まれず、実施的に権限が同一でないと判定した場合には、制御部１８は、医用画像診断装置１を画面ロック状態に維持する。
【００６７】
一方、新たな操作者Ｂの権限に画面ロック解除の権限が含まれ、実施的に操作者Ａと同一権限を保有すると判定された場合には、ステップＳ８に移行し、制御部１８は、新たな操作者Ｂについての操作者情報を操作者認証部１２に与えて、認証結果情報を要求する。
【００６８】
次に、ステップＳ９において、制御部１８は認証が成功したか否かを判定し、認証が成功しない場合には、医用画像診断装置１のステータスを画面ロック状態に維持する。
【００６９】
一方、認証が成功した場合、制御部１８は、画面ロック解除の指示を操作画面ロック部１６に与える。これにより操作画面ロック部１６は、ステップＳ１０において画面ロックを解除し、医用画像診断装置１を画面ロック状態から操作可能状態に遷移させる。この結果、操作者はシステムの利用を開始することができる。
【００７０】
つまり以上のような医用画像診断装置１は、操作画面が画面ロック状態であっても、ログインした操作者の権限と同一或いは一部同一の権限を有する操作者であれば、画面ロックを解除できるようにしたものである。
【００７１】
したがって、カレント操作者（操作者Ａ）がログインしている状態で、かつ画面がロックされている状態においては、ログイン権限が与えられた操作者であれば、カレント操作者以外であってもログインして操作することができる。
【００７２】
一般に、医用画像診断装置１は、いかなる場合であっても検査ができる状態にする必要があるが、多くの場合、ログインしている操作者は技師であり、画面ロックを解除し検査を行うのも技師である。このため、画面ロックを解除する権限を技師に与えておけば、該当する技師はいつでも画面ロックを解除して検査を行うことが可能となる。
【００７３】
一方、画面ロック状態からログアウト状態に遷移させる場合、ログアウト指示部１９は、画面ロック状態において、入力装置４から操作者の操作者情報を求めることなくログアウト指示を取得し、取得したログアウト指示を制御部１８に与える機能を有する。
【００７４】
これに対応して制御部１８は、ログアウト指示部１９からログアウト指示を受けた場合には、ログアウト実行部１７にログアウト指示を与えることにより医用画像診断装置１を画面ロック状態からログアウト状態に遷移させる機能を有する。
【００７５】
これにより、ログアウト指示部１９は、認証を必ずしも必要とせずに画面ロック状態からログアウト状態に遷移することができる。尚、ログアウト指示部１９に関連するステータスには、システム停止状態は含まれず、ある操作者がログインした状態で画面ロックされた場合にのみ、ログアウト指示部１９により所要の処理が行われる。
【００７６】
図４のフローチャートにおけるステップＳ１１〜Ｓ１３は、画面ロック状態からログアウト状態に遷移させる際の流れを示す。
【００７７】
ステップＳ１１において、ログアウト指示部１９は、入力装置４から操作者の操作者情報を含めることなくログアウト指示を取得し、取得したログアウト指示を制御部１８に与える。
【００７８】
次に、ステップＳ１２において、制御部１８は、ログアウト指示部１９からのログアウト指示をログアウト実行部１７に与えることにより、医用画像診断装置１を画面ロック状態からログアウト状態に遷移させる。この結果、操作画面のロックが解除され、カレント操作者が利用していた処理が終了した後、医用画像診断装置１はログアウト状態となる。そして、新たな操作者がログイン権限を有する場合には、ログアウト後に通常のログイン認証を行って医用画像診断装置１を利用することができる。
【００７９】
つまり医用画像診断装置１は、画面ロック状態において、画面ロック解除権限やログイン権限等の権限の有無を問わず、誰でも操作者となってログアウトできるようにし、そのあとでログインすれば（認証を伴うが）、医用画像診断装置１を利用可できるようにしている。
【００８０】
これは、前述したように医用画像診断装置においては、いかなる場合であっても検査ができる状態にしておく必要があるため、画面ロックがかかった状態でも画面ロックを解除して検査を行えるようにすることが重要である。この点、画面ロックがかかった状態であっても、ログアウト指示部１９の機能により、カレント操作者以外の操作者が一旦システムの利用を終了するためのログアウトを実施することができる。
【００８１】
尚、画面ロック状態からログアウト状態に遷移させる場合にも、画面ロック解除の場合と同等に、操作者の権限の有無を確認し認証処理を行った上でログアウト状態に遷移するようにしてもよい。
【００８２】
このように、以上述べた動作では、カレント操作者（操作者Ａ）がログインして操作中断状態にあるときは、権限が与えられた操作者であれば、カレント操作者以外であっても操作可能状態に遷移させることができる。
【００８３】
しかしながら、ここで問題になるのは、それまでカレント操作者（操作者Ａ）が操作していた操作画面は消されてしまうため、操作者Ａが再び操作しようとしても継続して作業することができないという懸念である。
【００８４】
そこで、このような不具合に対処するため、操作状況保存部２０、操作状況管理部２１、操作状況復元部２２及び操作ログ表示制御部２３が設けられている。以下、これら構成要素２０〜２３の機能の詳細について説明する。
【００８５】
操作状況保存部２０は、ログイン権限が与えられた新たな操作者Ｂがログインした場合に、カレント操作者Ａによるそれまでの操作状況を示す情報(以下操作状況情報という)を操作ログとともに保存する機能を有する。このとき、制御部１８は、新たな操作者Ｂが認証に成功しログインする前に、操作者Ａの操作状況情報を操作ログとともに保存するように操作状況保存部２０に要求する。
【００８６】
操作状況情報としては、システム情報、例えばどのアプリケーションが起動していたかを示す情報や記憶媒体のどの記憶位置に記憶したかを示す情報等のほかに、操作者情報等も含まれ、コンピュータシステムで用いられているサスペンド、或いはハイバネーション等と同様の手法で保存される。
【００８７】
操作状況管理部２１は、操作状況保存部２０に保存された操作状況情報と操作ログを操作者情報とともに管理する。
【００８８】
新たな操作者Ｂが正常にログインできた場合、制御部１８は、操作状況復元部２２に操作者Ｂの操作状況を復元(レジューム)するように要求する。即ち、操作状況復元部２２は、操作状況管理部２１に操作者Ｂの操作状況情報が保存されているか否か有無を問合せる。
【００８９】
ここで、操作者Ｂの操作状況情報が保存されていた場合、操作状況復元部２２は、制御部１８に操作状況を復元するか否かの確認を行う。つまり操作者Ｂに対して以前の操作状況を復元するか否かを問う画面を表示する。
【００９０】
操作者Ｂが新規の操作を開始する場合は、以前の操作状況は必要ないため復元は不要となるが、以前の操作状況から継続して作業を行う場合は、復元を要求することになる。
【００９１】
操作状況の復元の要求があった場合、制御部１８は、操作状況復元部２２に操作者Ｂの操作状況の復元要求を出し、操作状況復元部２２は、操作状況管理部２１が管理する操作者Ｂの保存情報を基に、操作状況を復元する。
【００９２】
操作状況が復元できたら、制御部１８は、操作ログ表示制御部２３に操作履歴の表示を要求する。操作ログ表示制御部２３は、保存された操作ログを読み出して操作者が先に行った操作履歴を表示装置３に表示する。
【００９３】
表示履歴が表示されたあとは入力待ちとなる。また操作状況の復元要求がなかった場合も同様に入力待ちとなる。尚、操作履歴の表示は、確認後、消去することができる。
【００９４】
図５のフローチャートにおけるステップＳ２１〜Ｓ２９は、操作状況情報の保存と、操作状況の復元の動作の流れを示している。
【００９５】
即ち、図４のステップＳ５において認証に成功した場合、或いはステップＳ１０において画面ロックの解除に成功した場合(符号Ａで示す)は、図５のステップＳ２１に移行する。
【００９６】
ステップＳ２１では、カレント操作者Ａによるそれまでの操作状況情報が操作ログとともに操作状況保存部２０に保存される。次のステップＳ２２において、ログイン権限が与えられた新たな操作者Ｂがログインすると、ステップＳ２３では、操作状況管理部２１に対して新たな操作者（操作者Ｂ）に関する操作状況情報が保存されているか否かを確認する。
【００９７】
次のステップＳ２４で、操作状況情報が保存されていると判断されると、ステップ２５において操作状況の復元の要否確認を行う。次のステップＳ２６で、復元の要求ありと判断された場合は、ステップＳ２７に進み、ステップＳ２７では、操作者Ｂによる以前の操作状況を復元する。そして、ステップＳ２８で操作履歴の画面を表示し、ステップＳ２９で操作者Ｂによる新たな入力を待つことになる。
【００９８】
尚、ステップＳ２４において操作状況情報が保存されていないと判断された場合、及びステップＳ２６で復元要求がなかった場合には、そのままステップＳ２９に移行し、操作者Ｂによる新たな入力を待つことになる。
【００９９】
尚、上記の説明では、操作者Ｂがログインして操作する場合に、操作者Ｂの操作状況情報が保存されているか否かを問合せて、操作状況を復元させる場合を説明したが、操作者Ｂの操作が終了した後、操作者Ａが再度ログインして操作を行う場合も同様に復元の動作が行われる。
【０１００】
即ち、操作者Ａは、図４のステップＳ１〜Ｓ５のフローを経由して図５のステップＳ２１に進み、再度ログインすることになる。このとき、操作者Ａの操作状況情報が操作状況保存部２０に保存されていれば、操作者Ａの復元要求により、操作状況復元部２２は、操作状況管理部２１が管理する操作者Ａの保存情報を基に、操作状況を復元する。操作状況が復元できたら、操作ログ表示制御部２３は、操作者Ａの操作履歴を表示装置３に表示する。
【０１０１】
こうして、操作者が操作したときに、当該操作者による過去の操作状況を要求に応じて復元することができる。
【０１０２】
図６、図７は、表示装置３に表示される画面の一例を説明する図であり、図６は、画面ロック解除画面の一例を示す図である。
【０１０３】
操作画面ロック部１６は、例えば図６に示すような画面ロック解除画面３０を表示装置３に表示させる。画面ロック解除画面３０には、操作者のユーザＩＤやパスワードを入力する操作者情報入力欄３１と、画面ロック解除指示を与えるためのロック解除ボタン３２が表示されている。さらに、画面ロック解除画面３０には、ログアウト指示を与えるためのログアウトボタン３３が表示されている。
【０１０４】
操作者は、入力装置４のキーを操作することでユーザＩＤやパスワードを入力することができ、マウスを操作することでロック解除ボタン３２を選択することができる。或いはマウス操作によりログアウトボタン３３を選択することができる。
【０１０５】
図７は、表示装置３に表示される操作履歴４０の一例を示す図である。操作ログは、操作者が以前操作していたときの操作記録（言わば操作手順）であり、この操作ログを基に操作履歴を表示することができ、操作者がどんな操作をしていたかを知ることができる。
【０１０６】
図７の例では、以前ログインしたときの時間が表示され、さらに患者登録、検査日付設定、過去画像の表示、画像選択、各種の計測（Ａ計測、Ｂ計測、Ｃ計測）、所見入力・・・といった、以前実施した作業項目が時系列的に表示されている。
【０１０７】
したがって、操作履歴４０を参照することで、作業の進捗状況を把握することができ、継続して作業を進めるか、遡って作業を進めるか、或いは新規の作業を開始するかといった判断材料として提示することができる。また、以前の操作が「所見入力」の段階まで進んでいた場合、操作状況復元部２２は、「所見入力」の操作状況を復元する。したがって以前の操作を継続して進めることができる。
【０１０８】
尚、操作状況保存部２０には、ＨＤＤ等の記憶媒体が用いられて操作状況情報等を保存するようにしているが、操作状況情報等の保存期間としては、例えば以下のような期間に設定すると良い。
【０１０９】
即ち、医用画像診断装置１の電源がオフされたときは全ての操作を終了したものとみなして、その時点で操作状況情報を消去する。また操作者が操作を終了し医用画像診断装置１のログアウトの操作を行った時点で消去するようにしても良い。
【０１１０】
また、予め設定した時間を設定し、例えば１日、或いは１週間が経過した時点で操作状況情報を削除するようにしても良い。こうして保存期間を設定することにより記憶媒体を有効に利用することができる。
【０１１１】
尚、以上の説明では、ログイン権限が与えられた操作者が認証に成功した場合にログインを許可する例について述べたが、それ以外に緊急時には他の操作者がログインできるようにしても良い。
【０１１２】
例えば入力装置４による操作画面に緊急ボタンを設けておき、緊急操作者がこの緊急ボタンをマウスで選択したときには、制御部１８は、緊急であることを認識するようにする。そして、画面ロック状態またはログアウト状態（操作中断状態）において、緊急操作者が入力装置４を操作し、緊急ボタンを選択した上で画面ロック解除の指示を入力したときには、医用画像診断装置１を操作可能状態に遷移させるようにする。
【０１１３】
以上のような医用画像診断装置１では、画面ロック状態またはログアウト状態において、正規の権限を有する操作者以外であっても緊急に検査を行う場合は、緊急操作者として識別され、操作画面ロックを解除してログインすることができる。この場合も、緊急操作者がログインしたときには、カレント操作者Ａによるそれまでの操作状況情報が操作ログとともに操作状況保存部２０に保存されるため、操作者Ａが後で再度ログインした場合は、操作状況を復元し、操作履歴４０を表示することが可能となる。
【０１１４】
このように本発明では、カレント操作者が操作の途中で席を外し画面ロックがかかった場合、或いは画面ロック状態でログアウトの操作がされた場合であっても、他の操作者が画面ロックを解除してログインすることで医用画像診断装置１を操作することができる。
【０１１５】
また、先の操作者による操作状況情報が保存されるため、後で操作状況を復元することができる。さらに操作履歴を表示することができ、以前の操作内容を継続して実行可能となり操作性を向上することができる。また、操作履歴を表示することにより、操作の進捗状況を確認することができる。
【０１１６】
尚、以上の説明では、医用機器として医用画像診断装置を例に述べたが、医用画像読影装置、レビューワークステーション等の医用機器においても同様のセキュリティ管理システムを適用することができる。
【０１１７】
また本発明は、特許請求の範囲を逸脱しない範囲内で種々の変形が可能である。
【図面の簡単な説明】
【０１１８】
【図１】本発明に係る医用機器の一実施形態の構成を示すブロック図。
【図２】同実施形態における医用機器のステータスの遷移を説明する遷移図。
【図３】本発明の医用機器におけるセキュリティ管理システムの構成を示すブロック図。
【図４】本発明のセキュリティ管理システムにおける基本動作を説明するフローチャート。
【図５】本発明のセキュリティ管理システムにおける操作状況の復元動作を説明するフローチャート。
【図６】本発明の医用機器における画面ロック解除の際の操作画面の一例を示す説明図。
【図７】本発明の医用機器における操作履歴の表示例を示す説明図。
【符号の説明】
【０１１９】
１…医用画像診断装置(医用機器)
２…装置本体
３…表示装置
４…入力装置
５…操作端末
６…セキュリティ管理システム
１０…操作者情報取得部
１１…操作者情報管理部
１２…操作者認証部
１３…ログイン状態管理部
１４…カレント操作者情報照会部
１５…操作者権限情報照会部
１６…操作画面ロック部
１７…ログアウト実行部
１８…制御部
１９…ログアウト指示部
２０…操作状況保存部
２１…操作状況管理部
２２…操作状況復元部
２３…操作ログ表示制御部
【図１】
0005269388.tif 000002
【図２】
0005269388.tif 000003
【図３】
0005269388.tif 000004
【図４】
0005269388.tif 000005
【図５】
0005269388.tif 000006
【図６】
0005269388.tif 000007
【図７】
0005269388.tif 000008